(57)【要約】      （修正有）【課題】茶成分が浸出し過ぎてしまうことを防止することが可能なポットを提供する。【解決手段】ポットの蓋部は、天井部３と、ベース部４により構成され、蓋部は、ティーバッグの持ち手部を引き上げた際に、茶葉袋が収納される収納部４ｅを備えている。これにより、ティーバッグを使用して茶成分を抽出する際に、茶成分が浸出し過ぎてしまうことを防ぐことができる。【選択図】図２
0003215555.tif 000002
【実用新案登録請求の範囲】
【請求項１】
内部に茶を収納する本体部と、
前記本体部に設けられている開口部と、
前記開口部を閉塞する蓋部と、
を備え、
前記蓋部は、
ティーバッグの持ち手部を引き上げた際に、前記ティーバッグの茶葉袋を収納する収納部と、
を有することを特徴とするポット。
【請求項２】
前記ティーバッグの紐部を挟持する挟持部を更に備えたことを特徴とする請求項１に記載のポット。
【請求項３】
前記蓋部は、
前記ティーバッグの前記茶葉袋を投入するための切欠部を更に備えたことを特徴とする請求項１に記載のポット。
【考案の詳細な説明】
【技術分野】
【０００１】
本考案は、ポットに関するものである。
【背景技術】
【０００２】
従来では、ティーバッグにより注ぎ口がふさがれてしまうことを防止するポットが知られている（例えば、特許文献１）。このようなポットは、蓋部の注ぎ口の近傍に２個の平面上の係止片が蓋部の長軸にそって立設されており、かつ内方に向けて突出されていることから、ポットを傾けたときに、ティーバッグが係止片により注ぎ口方向への移動が規制されるので、ティーバッグが注ぎ口を塞ぐことなく、飲料を最後まで注水することができる。
【先行技術文献】
【特許文献】
【０００３】
【特許文献１】特開２０１５−７７３１３号公報
【考案の概要】
【考案が解決しようとする課題】
【０００４】
しかしながら、このようなポットは、ティーバッグの茶成分が浸出された後も、ティーバッグが容器に入ったままとなるので、茶成分が浸出し過ぎてしまうという問題点があった。
【０００５】
本考案は、このような問題点に鑑み、茶成分が浸出し過ぎてしまうことを防止することが可能なポットを提供することを目的とする。
【課題を解決するための手段】
【０００６】
このような課題を解決するために、本考案に係るポットは、内部に茶を収納する本体部と、前記本体部に設けられている開口部と、前記開口部を閉塞する蓋部と、を備え、前記蓋部は、ティーバッグの持ち手部を引き上げた際に、前記ティーバッグの茶葉袋を収納する収納部と、を有することを特徴とする。
【０００７】
また、本考案に係るポットは、前記ティーバッグの紐部を挟持する挟持部を更に備えたことを特徴とする。
【０００８】
また、本考案に係るポットにおいて、前記蓋部は、前記ティーバッグの前記茶葉袋を投入するための切欠部を更に備えたことを特徴とする。
【考案の効果】
【０００９】
本考案によれば、茶成分が浸出し過ぎてしまうことを防止することが可能なポットを提供することができる。
【図面の簡単な説明】
【００１０】
【図１】ポットの外観斜視図の一例を示す図である。
【図２】ポットの分解斜視図の一例を示す図である。
【図３】天井部とベース部の取付方法の一例を示す図である。
【図４】ポットの利用態様の一例を示す図である。
【考案を実施するための形態】
【００１１】
以下、本考案の実施形態について図面を参照しながら具体的に説明する。
【００１２】
まず、図１〜図２を用いて、本考案におけるポット１の構成について具体的に説明を行う。なお、図１は、ポット１の外観斜視図の一例を示す図を示す図であり、図２は、ポット１の分解斜視図の一例を示す図を示す図である。
【００１３】
（ポット１）
本考案におけるポット１は、蓋部２と、本体部５により構成される。
【００１４】
（蓋部２）
蓋部２は、天井部３と、ベース部４により構成されている。また、蓋部２は、本体開口部５ｃを閉塞するために設けられている。
【００１５】
（天井部３）
天井部３は、ベース部４とともに蓋部２を構成するために設けられている。また、天井部３は、ベース部４の天井に設けられた開口を閉塞するために設けられており、右側挟持片３ａと、左側挟持片３ｂと、天井係止部３ｃが設けられている。ここで、本実施形態における天井部３は、シリコン樹脂により形成されているが、天井部３の材質は適宜設定可能である。
【００１６】
（右側挟持片３ａ）
右側挟持片３ａは、左側挟持片３ｂとともに、後述のティーバッグ６の紐部６ｂを挟持するために設けられている。ここで、具体的には後述するが、右側挟持片３ａと、左側挟持片３ｂとにより、後述のティーバッグ６の紐部６ｂを挟持することとなる。
【００１７】
（左側挟持片３ｂ）
左側挟持片３ｂは、右側挟持片３ａとともに、後述のティーバッグ６の紐部６ｂを挟持するために設けられている。
【００１８】
ここで、本実施形態における天井部３は、円形状となっており、右側挟持片３ａと、左側挟持片３ｂは、曲部が設けられている。そして、この曲部は、中心に向かうにつれて徐々に隙間が狭くなっている。これにより、後述のティーバッグ６の紐部６ｂをスムーズに挟み込むことができる。
【００１９】
（天井係止部３ｃ）
天井係止部３ｃは、ベース係止部４ｃと係止するために設けられている。ここで、天井係止部３ｃと、ベース係止部４ｃとが係止されることにより、天井部３と、ベース部４が係止されることになる。
【００２０】
（ベース部４）
ベース部４は、天井部３とともに蓋部２を構成するために設けられている。また、ベース部４は、切欠部４ａと、ベース注ぎ口４ｂと、ベース係止部４ｃと、突起部４ｄとにより構成されている。また、ベース部４の内部には、後述のティーバッグ６の茶葉袋６ｃを収納するための収納部４ｅが設けられているとともに、ベース開口部４ｆが上方に設けられている。ここで、本実施形態におけるベース部４の材質は、プラスチックにより形成されているが、ベース部４の材質は適宜設定可能である。
【００２１】
（切欠部４ａ）
切欠部４ａは、後述のティーバッグ６の茶葉袋６ｃを投入するために設けられている。また、切欠部４ａは、上方よりも、下方の方が開口の幅が広くなっている。これにより、後述のティーバッグ６の茶葉袋６ｃを投入し易くなっている。
【００２２】
（ベース注ぎ口４ｂ）
ベース注ぎ口４ｂは、本体部５の内部に収納された茶を注ぐために設けられている。また、ベース注ぎ口４ｂは、櫛目状となっている。ここで、本実施形態においては、本体部５に蓋部２が取り付けられた際に、ベース注ぎ口４ｂの櫛目状の穴と、本体注ぎ口５ｂとにより、本体部５の内部に収納されている茶が注がれることとなる。
【００２３】
（ベース係止部４ｃ）
ベース係止部４ｃは、天井係止部３ｃと係止するために設けられている。ここで、前述した通り、天井係止部３ｃと、ベース係止部４ｃとが係止されることにより天井部３と、ベース部４が係止されることになる。
【００２４】
（突起部４ｄ）
突起部４ｄは、本体部５と係止するために設けられている。ここで、本実施形態における突起部４ｄは、複数設けられており、本体部５の内側と係止することで、蓋部２が本体部５に取り付けられることとなる。
【００２５】
（収納部４ｅ）
収納部４ｅは、後述のティーバッグ６の茶葉袋６ｃを収納するために設けられている。ここで、具体的には後述するが、後述のティーバッグ６の紐部６ｂが右側挟持片３ａと、左側挟持片３ｂにより挟持されることで、後述のティーバッグ６の茶葉袋６ｃが収納部４ｅに収納されることとなる。
【００２６】
（ベース開口部４ｆ）
ベース開口部４ｆは、天井部３を取り付けるために設けられている。なお、ベース開口部４ｆは、天井係止部３ｃと、ベース係止部４ｃとが係止されて閉塞されることとなる。
【００２７】
（本体部５）
本体部５は、内部に茶を収納するために設けられている。ここで、本体部５は、本体取手部５ａと、本体注ぎ口５ｂが設けられているとともに、本体開口部５ｃが上方に設けられている。ここで、本実施形態における本体部５の材質は、耐熱ガラスや、透明性と耐熱性に優れたＰＣＴ樹脂等が用いられる。
【００２８】
（本体取手部５ａ）
本体取手部５ａは、本体部５に収納された茶を注ぐ際に、握持するために設けられている。
【００２９】
（本体注ぎ口５ｂ）
本体注ぎ口５ｂは、本体部５の内部に収納された茶を注ぐために設けられている。ここで、本実施形態においては、上述した通り、本体部５に蓋部２を取り付けた際に、ベース注ぎ口４ｂの櫛目状の穴と、本体注ぎ口５ｂとにより、本体部５の内部に収納されている茶が注がれることとなる。
【００３０】
（本体開口部５ｃ）
本体開口部５ｃは、蓋部２を取り付けるために設けられている。具体的には、ベース部４の突起部４ｄが本体開口部５ｃの内部に係止することにより、本体部５に蓋部２が取り付けられることとなる。
【００３１】
（天井部３と、ベース部４の取付方法）
次に、図３を用いて、天井部３と、ベース部４の取付方法について説明を行う。なお、図３は、天井部３と、ベース部４の取付方法を示す図である。
【００３２】
まず、図３（Ａ）は、天井部３と、ベース部４が取り付けられていない状態を示す図である。
【００３３】
次に、図３（Ｂ）に示す通り、天井部３に力を加え、右側挟持片３ａと、左側挟持片３ｂとが重なり合った状態で、ベース部４に押し込む。ここで、力を加える前の天井部３の幅Ｗ１は、ベース開口部４ｆの幅Ｗ２よりも大きい。そして、力を加えた後の天井部３の幅Ｗ１は、ベース開口部４ｆの幅Ｗ２よりも小さい。
【００３４】
次に、図３（Ｃ）に示す通り、天井部３がベース部４に押し込まれると、天井係止部３ｃと、ベース係止部４ｃが係止されることとなる。この状態において、右側挟持片３ａと、左側挟持片３ｂは、互いに内側に力が作用することで、後述のティーバッグ６の紐部６ｂを挟持することができる。
【００３５】
（ポット１の利用態様）
次に、図４を用いて、ポット１の利用態様について説明を行う。なお、図４は、ポット１の利用態様を示す図である。
【００３６】
（ティーバッグ６）
ティーバッグ６は、茶成分を浸出するためのものであり、持ち手部６ａと、紐部６ｂと、茶葉袋６ｃとにより構成されている。
【００３７】
（持ち手部６ａ）
持ち手部６ａは、茶成分を浸出する際に、持つために設けられている。また、持ち手部６ａには、紐部６ｂが取り付けられている。
【００３８】
（紐部６ｂ）
紐部６ｂは、持ち手部６ａと、茶葉袋６ｃを取り付けるために設けられている。ここで、紐部６ｂは、右側挟持片３ａと、左側挟持片３ｂにより挟持されることとなる。
【００３９】
（茶葉袋６ｃ）
茶葉袋６ｃは、緑茶、紅茶、ハーブ等の茶葉と、合成繊維等からなる布、若しくは不織布の袋により構成されており、湯中に浸出することにより、緑茶、紅茶、ハーブ等の茶成分が浸出される。また、茶葉袋６ｃには、紐部６ｂが取り付けられている。
【００４０】
まず、図４（Ａ）に示す通り、本体部５に湯を注ぐ。
【００４１】
次に、図４（Ｂ）に示す通り、本体部５に蓋部２を取り付ける。具体的には、突起部４ｄを、本体部５の内側と係止させることにより、蓋部２を本体部５に取り付ける。
【００４２】
次に、図４（Ｃ）に示す通り、ティーバッグ６の茶葉袋６ｃを切欠部４ａから投入し、所定の浸出時間を待つ。
【００４３】
次に、図４（Ｄ）に示す通り、ティーバッグ６の茶葉袋６ｃから茶成分が浸出された場合に、ティーバッグ６の持ち手部６ａを上方に引き上げる。そうすると、ティーバッグ６の紐部６ｂが右側挟持片３ａと、左側挟持片３ｂにより挟持されるとともに、ティーバッグ６の茶葉袋６ｃが収納部４ｅに収納されることとなる。これにより、茶葉袋６ｃの茶成分が浸出し過ぎてしまうことを防止することができる。
【００４４】
なお、図４（Ｅ）に示す通り、ティーバッグ６の持ち手部６ａを右側挟持片３ａと、左側挟持片３ｂにより挟持することもできる。
【００４５】
（その他の利用態様）
次に、ポット１のその他の利用態様について説明を行う。
【００４６】
まず、ポット１の本体部５にティーバッグ６の茶葉袋６ｃを投入する。この際に、ティーバッグ６の持ち手部６ａは、本体部５の外部に出しておく。次に、本体部５に湯を注ぎ、所定の浸出時間を待つ。そして、所定の浸出時間が経過した後、ティーバッグ６の持ち手部６ａを上方に引き上げ、右側挟持片３ａと、左側挟持片３ｂにより、ティーバッグ６の紐部６ｂを挟持し、茶葉袋６ｃが収納部４ｅに収納される。
【００４７】
（変形例）
次に、ポット１の変形例について説明を行う。
【００４８】
上述した実施形態において、ベース部４には、切欠部４ａが設けられているが、切欠部４ａが設けられていなくてもよい。この場合においては、まず、ポット１の本体部５にティーバッグ６の茶葉袋６ｃを投入する。この際に、ティーバッグ６の持ち手部６ａを、右側挟持片３ａと、左側挟持片３ｂの間から出しておく。次に、本体部５に湯を注ぎ、所定の浸出時間を待つ。そして、所定の浸出時間が経過した場合に、ティーバッグ６の持ち手部６ａを上方に引き上げることで、右側挟持片３ａと、左側挟持片３ｂにより、紐部６ｂを挟持し、茶葉袋６ｃが収納部４ｅに収納される。
【００４９】
また、上述した実施形態では、持ち手部６ａを引き上げた際に、右側挟持片３ａと、左側挟持片３ｂにより、紐部６ｂを挟持することにより、茶葉袋６ｃが収納部４ｅに収納されることとなっているが、これに限定されることはない。例えば、紐部６ｂを巻き付ける突起部を天井部３に設け、持ち手部６ａを引き上げ、紐部６ｂを突起部に巻き付けることにより、茶葉袋６ｃを収納部４ｅに収納することとしてもよい。
【００５０】
このように、本考案によれば、蓋部２は、天井部３と、ベース部４により構成されており、ティーバッグ６の持ち手部６ａを引き上げた際に、茶葉袋６ｃが収納部４ｅに収納されることとなる。これにより、茶成分が浸出し過ぎてしまうことを防ぐことができるポットを提供することができる。
【００５１】
また、本考案によれば、天井部３には、右側挟持片３ａと、左側挟持片３ｂが設けられているので、右側挟持片３ａと、左側挟持片３ｂによりティーバッグ６の紐部６ｂを挟持することで、ティーバッグ６の茶葉袋６ｃを収納部４ｅに収納することができる。
【００５２】
また、本考案によれば、ティーバッグ６の茶葉袋６ｃを投入するための切欠部４ａを蓋部２に設けたので、本体部５に湯を注ぎ、蓋部２を取り付けてから、ティーバッグ６の茶葉袋６ｃを切欠部４ａから投入することで、本体部５に注がれた湯が飛び散ることを防止することができる。
【００５３】
なお、本実施形態において、「本体部５」は、本考案の「本体部」を構成する。
【００５４】
また、本実施形態において、「本体開口部５ｃ」は、本考案の「開口部」を構成する。
【００５５】
また、本実施形態において、「蓋部２」は、本考案の「蓋部」を構成する。
【００５６】
また、本実施形態において、「収納部４ｅ」は、本考案の「収納部」を構成する。
【００５７】
また、本実施形態において、「持ち手部６ａ」は、本考案の「持ち手部」を構成する。
【００５８】
また、本実施形態において、「茶葉袋６ｃ」は、本考案の「茶葉袋」を構成する。
【００５９】
また、本実施形態において、「右側挟持片３ａ」と、「左側挟持片３ｂ」は、本考案の「挟持部」を構成する。
【００６０】
また、本実施形態において、「切欠部４ａ」は、本考案の「切欠部」を構成する。
【００６１】
なお、上記実施形態や変形例で示した事項は、あくまで一例に過ぎず、本考案の範囲を逸脱しない範囲で、適宜変更可能である。
【符号の説明】
【００６２】
１        ポット
２        蓋部
３        天井部
３ａ      右側挟持片
３ｂ      左側挟持片
３ｃ      天井係止部
４        ベース部
４ａ      切欠部
４ｂ      ベース注ぎ口
４ｃ      ベース係止部
４ｄ      突起部
４ｅ      収納部
４ｆ      ベース開口部
５        本体部
５ａ      本体取手部
５ｂ      本体注ぎ口
５ｃ      本体開口部
６        ティーバッグ
６ａ      持ち手部
６ｂ      紐部
６ｃ      茶葉袋
【図１】
0003215555.tif 000003
【図２】
0003215555.tif 000004
【図３】
0003215555.tif 000005
【図４】
0003215555.tif 000006